(57)【要約】【課題】使いやすさと静音性とを兼ね備えた加熱調理器を提供すること。【解決手段】  被加熱物を出し入れするための開口部を備えた加熱室２０１と、加熱室２０１の開口部２００を開閉する前面扉１０１と、前面扉１０１と連動して前後にスライドする、被加熱物を載置するための載置部１０３と、載置部１０３を支持しつつ、加熱室２０１の内部と外部との間で前後にスライドさせるための載置部支持部材１０４と、載置部支持部材１０４に連結され、前面扉１０１を引き出した状態で、載置部支持部材１０４に対して上下に移動可能なように前面扉１０１を支持する扉支持部材１０２と、記前面扉１０１と平行かつ水平に設けられた長尺ユニット１０５と、を有する抽斗式の加熱調理器であって、前面扉１０１の下方への移動速度を抑えるための緩衝機構を、長尺ユニット１０５内に設けたことを特徴とする。【選択図】  図１
2010025391.tif 000002
【特許請求の範囲】
【請求項１】
被加熱物を出し入れするための開口部を備えた加熱室と、
前記加熱室の開口部を開閉する前面扉と、
前記前面扉と連動して前後にスライドする、被加熱物を載置するための載置部と、
前記載置部を支持しつつ、前記加熱室の内部と外部との間で前後にスライドさせるための載置部支持部材と、
前記載置部支持部材に連結され、前記前面扉を引き出した状態で、前記載置部支持部材に対して上下に移動可能なように前記前面扉を支持する扉支持部材と、
前記前面扉と平行かつ水平に設けられた長尺ユニットと、
を有する抽斗式の加熱調理器であって、
前記前面扉の下方への移動速度を抑えるための緩衝機構を、前記長尺ユニット内に設けたことを特徴とする加熱調理器。
【発明の詳細な説明】
【技術分野】
【０００１】
本発明は、抽斗式の加熱調理器に関するものである。
【背景技術】
【０００２】
従来から、キッチンで使用される抽斗式の加熱調理器が知られており、一般的に、グリル又はロースターと呼ばれて、魚を焼く際などに使用されている。
【０００３】
この種の加熱調理器において前面扉を引き出した場合、トレイや網が外部に引き出され、被加熱物としての食材を載せたり出したりできる機構になっている。そして、食材の出し入れをより容易にするため、前面扉が上下に移動する技術が知られている（特許文献１、２参照）。
【０００４】
【特許文献１】特開２００２−１８１３４０号公報
【特許文献２】特開２００４−００３８０９号公報
【発明の開示】
【発明が解決しようとする課題】
【０００５】
しかしながら、従来は、前面扉が勢いよく下がりすぎて衝撃音が発生したり、前面扉の動きによる振動によってトレイや網が動いたりすることがあった。
【０００６】
本願発明は、上記従来技術の課題を解決するためになされたもので、その目的とするところは、使いやすさと静音性とを兼ね備えた加熱調理器を提供することにある。
【課題を解決するための手段】
【０００７】
上記目的を達成するため、本発明に係る加熱調理器は、
被加熱物を出し入れするための開口部を備えた加熱室と、
前記加熱室の開口部を開閉する前面扉と、
前記前面扉と連動して前後にスライドする、被加熱物を載置するための載置部と、
前記載置部を支持しつつ、前記加熱室の内部と外部との間で前後にスライドさせるための載置部支持部材と、
前記載置部支持部材に連結され、前記前面扉を引き出した状態で、前記載置部支持部材に対して上下に移動可能なように前記前面扉を支持する扉支持部材と、
前記前面扉と平行かつ水平に設けられた長尺ユニットと、
を有する抽斗式の加熱調理器であって、
前記前面扉の下方への移動速度を抑えるための緩衝機構を、前記長尺ユニット内に設けたことを特徴とする。
【発明の効果】
【０００８】
本発明によれば、使いやすさと静音性とを兼ね備えた加熱調理器を提供することができる。
【発明を実施するための最良の形態】
【０００９】
以下に、図面を参照して、この発明の好適な実施の形態を例示的に詳しく説明する。ただし、この実施の形態に記載されている構成要素の相対配置、数値等は、特に特定的な記載がない限りは、この発明の範囲をそれらのみに限定する趣旨のものではない。
【００１０】
図１に、本発明の実施形態としての加熱調理器１の全体図を示す。説明を容易にするため、図１には、前面扉１０１が取り外された状態を示している。
【００１１】
加熱調理器１は、キッチンのコンロ２の下方に、操作パネル３に並べて取り付けられ、前面扉１０１を引き出すことによって、被加熱物としての食材を出し入れ可能に構成されている。前面扉１０１を引き出すことによって、加熱調理器１の開口部２００を開閉でき、被加熱物を載置するための載置部としてのトレイ１０３は、前面扉１０１と連動して前後にスライドする。
【００１２】
載置部支持部材の一例としての２本のスライドレール１０４ａ、ｂは、載置部としてのトレイ１０３を両側で支持しており、これにより、トレイ１０３は、加熱室２０１の内部と外部との間で前後にスライド可能となる。
【００１３】
２本のスライドレール１０４ａ、ｂは、奥側の位置で、扉支持部材１０２ａ、ｂと接続されている。扉支持部材１０２は、前面扉１０１を引き出した状態で、スライドレール１０４ａ、ｂに対して上下に移動可能なように前面扉１０１を支持する部材であり、本実施形態ではフレーム形状となっている。
【００１４】
スライドレール１０４ａ、ｂの前端には、前面扉と平行かつ水平に長尺ユニット１０５が設けられている。そして、長尺ユニット１０５内には、前面扉の下方への移動速度を抑えるための緩衝機構が内蔵されており、ワイヤー１０７ａ、１０７ｂによって、扉支持部材１０２に連結されている。すなわち、加熱調理器１の前面扉１０１が前面にスライドすると、そのスライド動作に連動して扉支持部材１０２と共に前面扉１０１が下方へ移動するが、その移動速度は、長尺ユニット１０５内の機構によって緩衝される。すなわち、前面扉１０１の把手に手を掛けてトレイを引き出すと、トレイが引き出されるにつれて徐々に、かつゆっくりと、前面扉１０１が下方に移動する。
【００１５】
これにより、前面扉が降下した際の衝撃や衝撃音を緩和し、使いやすさと静音性とを兼ね備えた加熱調理器を実現することが可能となる。
【００１６】
図２は、前面扉１０１付近の構成を示す図である。図２に示すように、スライドレール１０４ａ、ｂの前端に取り付けられた長尺ユニット１０５から伸びた２本のワイヤー１０７ａ、ｂの一端は、扉支持部材１０２に固定されている。また、扉支持部材１０２と、左右のスライドレール１０４ａ、ｂとの間には、リンク機構２０１ａ、ｂがそれぞれ設けられており、前面扉１０１の最下点を規定している。
【００１７】
図３は、長尺ユニットの内部構成を示す図であり、図４は、その分解図である。長尺ユニット１０５のハウジング３０５は、断面コの字状の内には、コイルスプリング３０３が設けられており、そのコイルスプリング３０３の両端は、可動ローラ３０２ａ、ｂを介してワイヤー１０７ａ、ｂに連結されている。ワイヤー１０７ａ、ｂは、プーリー３０１ａ、ｂによって方向を変えられ、扉支持部材１０２に接続されている。
【００１８】
プーリー３０１ａ、ｂは、ワイヤー１０７ａ、ｂと扉支持部材１０２との連結位置に応じて、傾きを持って取り付けられており、さらに、ワイヤー１０７ａ、ｂが通るスリット幅が十分な大きさとなるように設計されている。それにより、プーリー３０１ａ、ｂとワイヤー１０７ａ、ｂとの間で適正な噛み合いを実現できる。
【００１９】
長尺ユニット１０５内には、更に、可動ローラ３０２ａ、ｂに対して抵抗を加えるための板ばね３０４ａ、ｂを設けている。これにより、前面扉１０１がコイルスプリング３０３の力を受けて振動することを防止できる。なお、前面扉１０１の初動速度を抑えるための機構を板ばねに設けてもよい。
【００２０】
前面扉１０１が、ゆっくりと、確実にかつ静かに最下点まで下がるように、コイルスプリング３０３と板ばね３０４ａ、ｂの弾性率を調整するこが望ましい。
【００２１】
また、可動ローラ３０２ａ、ｂについては、ワイヤーやバネを引掛ける部分の幅をある程度狭く形成し、ワイヤーによる引張力がローラの中心に加わるように調整することが望ましい。また、ハウジング３０５と、可動ローラ３０２ａ、ｂとのクリアランスは必要最小限にし、ローラの径及び幅を調整することが望ましい。
【００２２】
以上の構成により、コイルスプリングと板バネを組み合わせることによって、バネの力のみで前面扉の降下の衝撃を吸収する。
【００２３】
このような構成により、長尺ユニットは、前面扉が下向きに移動する際の下方への力を、ワイヤーと滑車、若しくはリンク機構を使って９０度方向変換し、前面扉とほぼ同等の幅（ストローク）を使って吸収する。
【００２４】
さらに、ばねにより前面扉に対して上向きの力が加わるため、前面扉を上昇させるのに必要な力を軽減でき、女性や子供でも容易に扉を閉めることができるようになる。
【００２５】
（他の実施形態）
なお、上記実施形態では、長尺ユニット１０５を、スライドレール１０４ａ、ｂの端部間に設けたが、本発明はこれに限定されるものではない。例えば、扉支持部材１０２に長尺ユニット１０５を取り付けて、そこから伸びたワイヤーの一端をスライドレール又はその周辺部位に固定してもよい。
【００２６】
また更には、長尺ユニットを、前面扉１０１の内部又はその把手の内部に設けてもよい。その場合、ワイヤーを、前面扉１０１に設けた穴を通してスライドレールに取り付けなければならないが、長尺ユニットを加熱室の外側に設けることができるため、比較的熱に弱い材料を用いて長尺ユニット内の緩衝機構を構成することが可能となる。具体的には緩衝機能を実現する機構として、樹脂製のローラーダンパーを用いたり、エアーダンパーやオイルダンパーなど様々な直進ダンパーを採用したりすることが可能となる。
【００２７】
更に、トレイ１０３を載置する梁とは別に長尺ユニットを設けても、トレイを載置する梁と一体として長尺ユニットを設けてもよい。
【００２８】
また、上記実施形態では、ワイヤーによって、載置部支持部材と、扉支持部材とを連結したが、本願発明は、これに限定されるものではなく、これらの支持部材間の相対的な動きを緩衝する機構であれば、例えばトラスなどを用いたリンク機構を採用してもよい。
【図面の簡単な説明】
【００２９】
【図１】本発明の実施形態に係る加熱調理器の構成を説明するための図である。
【図２】本発明の実施形態に係る加熱調理器の可動前面扉を説明するための図である。
【図３】本発明の実施形態に係る加熱調理器の可動前面扉用の緩衝機構について説明するための図である。
【図４】本発明の実施形態に係る加熱調理器の可動前面扉用の緩衝機構について詳しく説明するための図である。
【図１】
2010025391.tif 000003
【図２】
2010025391.tif 000004
【図３】
2010025391.tif 000005
【図４】
2010025391.tif 000006